Podtech/llm-jp-corpus-v4-ja_patent huggingface dataset:
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
患者インタフェース装置において、
呼吸可能ガスの流れを患者に供給するシーリングアセンブリと、
前記シーリングアセンブリを患者の顔に取り付ける取り付けアセンブリと、
前記患者インタフェース装置が前記患者に対して使用される場合に前記患者インタフェース装置と前記患者の顔との間の力を最大力に制限する力制限ユニットであって、前記力制限ユニットが、自己解放圧力ばめ結合を構成する第１及び第２の結合素子を有し、前記自己解放圧力ばめ結合は、前記第１の結合素子から前記第２の結合素子に前記力を伝達し、前記力が前記最大力を超過する場合に前記２つの結合素子の間の圧力ばめを中断する、当該力制限ユニットと、
を有する患者インタフェース装置。
【請求項２】
前記自己解放圧力ばめ結合は、前記力が前記最大力を超過する場合に前記２つの結合素子の間のスリップを開始することにより前記２つの結合素子の間の圧力ばめを中断する、請求項１に記載の患者インタフェース装置。
【請求項３】
前記自己解放圧力ばめ結合は、前記力が前記最大力を超過する場合に前記２つの結合素子の間の連結を少なくとも部分的に解放することにより前記２つの結合素子の間の圧力ばめを中断する、請求項１に記載の患者インタフェース装置。
【請求項４】
前記自己解放圧力ばめ結合は、前記力が前記最大力を超過する場合に前記２つの結合素子の間の連結を完全に解放することにより前記２つの結合素子の間の圧力ばめを中断する、請求項１に記載の患者インタフェース装置。
【請求項５】
前記取り付けアセンブリが、前記シーリングアセンブリに結合され、かつ前記力制限ユニットを有するヘッドギアコンポーネントを有する、請求項１に記載の患者インタフェース装置。
【請求項６】
前記取り付けアセンブリが、前記シーリングアセンブリに結合され、かつ前記力制限ユニットを有する額サポートを有する、請求項１に記載の患者インタフェース装置。
【請求項７】
前記シーリングアセンブリが、堅いマスクシェル及び前記マスクシェルに結合されたクッションを有し、前記力制限ユニットが、前記マスクシェルと前記クッションとの間に機械的に結合される、請求項１に記載の患者インタフェース装置。
【請求項８】
前記力制限ユニットが、前記最大力を調整する設定手段を有する、請求項１に記載の患者インタフェース装置。
【請求項９】
前記患者インタフェース装置が、前記患者の顔に対して前記患者インタフェース装置により及ぼされる力を測定するセンサ及び／又は前記患者の顔に対して前記患者インタフェース装置を取り付けるアクチュエータ又はモータを有し、前記設定手段が、前記センサ、アクチュエータ及び/又はモータの出力信号に基づいて前記最大力を調整する、請求項８に記載の患者インタフェース装置。
【請求項１０】
前記患者インタフェース装置の異なる場所に配置された複数の力制限ユニットを有する、請求項１に記載の患者インタフェース装置。
【請求項１１】
前記力制限ユニットが、摩擦結合、磁気結合、スリップ結合、流体結合及び／又は電磁結合を有する、請求項１に記載の患者インタフェース装置。
【請求項１２】
患者インタフェース装置を患者の顔に取り付けるヘッドギアアセンブリにおいて、前記ヘッドギアアセンブリが、前記患者インタフェース装置が前記患者に対して使用される場合に前記患者インタフェース装置と前記患者の顔との間の力を最大力に制限する力制限ユニットを有し、前記力制限ユニットが、自己解放圧力ばめ結合を構成する第１及び第２の結合素子を有し、前記自己解放圧力ばめ結合は、前記第１の結合素子から前記第２の結合素子に前記力を伝達し、前記力が前記最大力を超過する場合に前記２つの結合素子の間の圧力ばめを中断する、
ヘッドギアアセンブリ。
【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
断片的バイオインピーダンス分光学(segmental bioimpedance spectroscopy)(SBIS)により患者の腹膜腔内の流体の体積を測定して、患者の腹膜腔内の流体の限外濾過体積を決定する腹膜腔モニター(PCM)；ならびに
患者の腹膜腔を充填するため、および限外濾過体積が経時的に変化しないか、有意に減少するかまたは有意な速度で減少している場合に、患者の腹膜腔から排液するための、PCMにより制御されるスイッチ
を含む、患者において腹膜透析(PD)を行うために、患者の腹膜腔に、ある体積のPD液を注入するための腹膜透析(PD)システム。
【請求項２】
断片的バイオインピーダンス分光学(SBIS)により患者の腹膜腔内の流体の体積を測定して、患者の腹膜腔内の流体の限外濾過体積を決定する腹膜腔モニター(PCM)；および
限外濾過体積が経時的に変化しないか、有意に減少するかまたは有意な速度で減少している場合に、患者の腹膜腔から排液されるべきときを指示するための、PCMにより制御されるアラーム
を含む、患者において腹膜透析(PD)を行うために、患者の腹膜腔に、ある体積のPD液を注入するための腹膜透析(PD)システム。
【請求項３】
スイッチが、ワイヤレス通信により、PCMにより制御される、請求項１記載の腹膜透析(PD)システム。
【請求項４】
患者の腹膜腔内の流体の限外濾過体積が経時的に変化しないか、有意に減少するかまたは有意な速度で減少している場合に、患者の腹膜腔から排液するためにスイッチを制御する工程を含む、腹膜透析(PD)システムの使用方法であって、
前記流体の限外濾過体積は、ある体積の腹膜透析液が導入された患者の腹膜腔内の流体の体積を、断片的バイオインピーダンス分光学(segmental bioimpedance spectroscopy)(SBIS)により定期的に測定することにより決定されるものである、腹膜透析(PD)システムの使用方法。
【請求項５】
患者の腹膜腔を、さらなる体積の腹膜透析液で再充填するためにスイッチを制御する工程をさらに含む、請求項４記載の方法。
【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
面積の大きい少なくとも1つの損傷を有する個体を治療するための医療製品（10）であって、その都度の損傷を少なくとも部分的に被覆しおよび／または前記医療製品（10）を前記個体に固定するための少なくとも1つの機能面（12、12‘、14）を含むものにおいて、
少なくとも1つの前記機能面（12、12‘）が前記機能面から突出する茎部（18）を有し、
前記茎部の端面側自由末端が付着部を形成し、
前記付着部が少なくとも部分的に前記個体および／または他の前記機能面（12‘）にファンデルワールス力によって付着可能であることを特徴とする医療製品。
【請求項２】
前記医療製品（10）が基材（13）を有し、前記基材が少なくとも1つの前記機能面（12、12‘）を有し、かつ帯状シート材として形成されていることを特徴とする請求項１記載の医療製品。
【請求項３】
前記医療製品（10）が、前記個体の創傷領域の前記その都度の損傷を治療しおよび／または前記その都度の損傷に当接するための少なくとも1つの前記機能面（14）を有することを特徴とする請求項１または２記載の医療製品。
【請求項４】
前記治療用機能面（14）は、前記その都度の損傷を取り囲む創傷縁領域の身体領域に付着する付着部を形成するために、前記茎部（18）を有する少なくとも1つの前記機能面（12）によって少なくとも部分的に取り囲まれていることを特徴とする請求項３記載の医療製品。
【請求項５】
前記治療用機能面（14）は前記その都度の損傷に付着する付着部を形成するための茎部（18）を付加的に有し、および／または穿孔された流体透過性機能層によって覆われており、
前記機能層は、前記その都度の損傷に向き合うその側に、前記その都度の損傷に付着する付着部を形成するための茎部（18）を備えた機能面（12）を有することを特徴とする請求項３記載の医療製品。
【請求項６】
前記少なくとも1つの治療用機能面（14）が、熱傷創を治療するための治療用裏当て（15）の一部であることを特徴とする請求項３〜５のいずれか１項記載の医療製品。
【請求項７】
前記少なくとも1つの機能面（12、12‘、14）を覆って前記医療製品（10）の使用のため引き剥がすことのできる少なくとも1つの保護層が設けられていることを特徴とする請求項１〜６のいずれか１項記載の医療製品。
【請求項８】
少なくとも前記その都度の機能面（12、12‘）の前記茎部（18）は少なくとも1つのプラスチック材料から形成されており、前記プラスチック材料として利用されているのがポリビニルシロキサン、付加架橋型シリコーンエラストマーまたはアクリレートであることを特徴とする請求項１〜７のいずれか１項記載の医療製品。
【請求項９】
その都度使用される前記プラスチック材料はチキソトロープであり、回転式粘度計で測定した粘度が7000〜15000 mPasであることを特徴とする請求項８記載の医療製品。
【請求項１０】
前記その都度の機能面（12、12‘）にcm2当たり少なくとも10000個の茎部（18）が設けられていることを特徴とする請求項１〜９のいずれか１項記載の医療製品。
【請求項１１】
前記茎部（18）はその自由末端が匙器状に解かれていることを特徴とする請求項１〜１０のいずれか１項記載の医療製品。
【請求項１２】
前記茎部（18）はそれぞれ回転双曲面の形の茎体（20）を有することを特徴とする請求項１〜１０のいずれか１項記載の医療製品。
【請求項１３】
前記茎部（18）はそれぞれ前記茎体（20）に比べて拡張された頭部（24）を有し、前記拡張頭部（24）の前記付着部に付設された上面は実質平らにまたは僅かに凸状に形成されていることを特徴とする請求項１〜１０、１２のいずれか１項記載の医療製品。
【請求項１４】
前記茎部（18）および／または前記茎体（20）はそれぞれ高さが50μm〜150μm、そして直径が10μm〜40μmであることを特徴とする請求項１〜１３のいずれか１項記載の医療製品。
【請求項１５】
前記茎体（20）に比べて拡張された前記頭部（24）は直径が15μm〜70μmであることを特徴とする請求項１３または１４記載の医療製品。
【請求項１６】
少なくとも部分的に個体および／または他の機能面（12‘）に主としてファンデルワールス力によって付着可能である付着部をその端面側自由末端に形成されて機能面（12、12‘）から突出した茎部（18）の、面積の大きい少なくとも1つの損傷を有する個体を治療するための医療製品（10）での使用。
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
患者の肺機能をモニタする方法であって、前記方法は、
呼吸器を使用している患者の吸息時間及び休止時間の一方又は両方を求めるステップであって、患者の吸息時間及び休止時間の一方又は両方は前記呼吸器から得られる測定値から求められ、吸息時間は患者が前記呼吸器を介して吸息する時間であり、休止時間は呼息の終了時と次の吸息の開始時との間の時間である、前記ステップと、
求められた吸息時間及び休止時間の一方又は両方を解析して患者の肺機能の徴候を求めるステップとを含み、
求められた吸息時間及び休止時間の一方又は両方を解析して患者の肺機能の徴候を求める前記ステップが、休止時間に対する吸息時間の比率を求めるステップを含む、方法。
【請求項２】
吸息時間及び休止時間の一方又は両方を求める前記ステップが、患者が前記呼吸器を介して吸息及び呼息するときに前記呼吸器を通る空気流を測定するステップと、前記呼吸器を通る空気流の方向が変化する時間から吸息時間及び休止時間の一方又は両方を求めるステップとを含む、請求項１に記載の方法。
【請求項３】
患者が、目標吸息時間にわたり前記呼吸器を介して吸息することを要求される、請求項１又は２に記載の方法。
【請求項４】
患者が目標吸息時間に等しい時間若しくはそれを上回る時間にわたって吸息する場合、患者による次の吸息について目標吸息時間が長くされる、請求項３に記載の方法。
【請求項５】
求められた吸息時間及び休止時間の一方又は両方を解析して患者の肺機能の徴候を求める前記ステップが、休止時間と、前記呼吸器が患者によって使用される合計時間との比率を求めるステップを含む、請求項１乃至４の何れか一項に記載の方法。
【請求項６】
吸息時間は、患者が１回の呼吸で前記呼吸器を介して吸息する時間、患者が複数回の呼吸にわたり前記呼吸器を介して吸息する平均時間、及び患者が複数回の呼吸にわたり前記呼吸器を介して吸息する合計時間のうちの１つ又は複数とする、請求項１乃至５の何れか一項に記載の方法。
【請求項７】
休止時間は、１回の呼吸の呼息の終了時と次の吸息の開始時との間の時間、複数回の呼吸にわたる呼息の終了時と次の吸息の開始時との間の平均時間、及び複数回の呼吸にわたる呼息の終了時と次の吸息の開始時との間の合計時間のうちの１つ又は複数とする、請求項１乃至６の何れか一項に記載の方法。
【請求項８】
求められた吸息時間及び休止時間の一方又は両方を解析して患者の肺機能の徴候を求める前記ステップが、求められた徴候を１つ又は複数の閾値と比較するステップを更に含む、請求項１乃至７の何れか一項に記載の方法。
【請求項９】
求められた吸息時間及び休止時間の一方又は両方を解析して患者の肺機能の徴候を求める前記ステップが、求められた徴候を、以前に求められた患者の肺機能の１つ又は複数の徴候と比較し、患者の肺機能の変化を求めるステップを更に含む、請求項１乃至８の何れか一項に記載の方法。
【請求項１０】
解析する前記ステップは、求められた患者の肺機能の変化を、１つ又は複数の閾値と比較するステップを更に含む、請求項９に記載の方法。
【請求項１１】
解析する前記ステップは、患者の肺機能の変化率を求めるステップを更に含む、請求項９又は１０に記載の方法。
【請求項１２】
解析する前記ステップは、求められた患者の肺機能の変化率を、１つ又は複数の閾値と比較するステップを更に含む、請求項１１に記載の方法。
【請求項１３】
コンピュータ可読コードを含むコンピュータプログラムであって、前記コンピュータ可読コードは、適切なコンピュータ又はプロセッサによってコードが実行されるとき、前記コンピュータ又は前記プロセッサが、呼吸器を使用している患者の吸息時間及び休止時間の一方又は両方を求めることであって、吸息時間は患者が前記呼吸器を介して吸息する時間であり、休止時間は呼息の終了時と次の吸息の開始時との間の時間である、前記求めることと、求められた吸息時間及び休止時間の一方又は両方を解析して患者の肺機能の徴候を求めることとを含み、前記求められた吸息時間及び休止時間の一方又は両方を解析して患者の肺機能の徴候を求めることには、休止時間に対する吸息時間の比率を求めることが含まれる、コンピュータプログラム。
【請求項１４】
患者の肺機能をモニタする際に使用するためのシステムであって、前記システムは、呼吸器を使用している患者の吸息時間及び休止時間の一方又は両方の測定値を取得することであって、吸息時間は患者が呼吸器を介して吸息する時間であり、休止時間は呼息の終了時と次の吸息の開始時との間の時間である、前記取得することと、求められた吸息時間及び休止時間の一方又は両方を解析して患者の肺機能の徴候を求めることとを行い、前記求められた吸息時間及び休止時間の一方又は両方を解析して患者の肺機能の徴候を求めることには、休止時間に対する吸息時間の比率を求めることが含まれる処理装置を含む、システム。
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
計測装置を含む血栓溶解剤デリバリモジュールと、  経頭蓋超音波エネルギーをクモ膜下血腫を含むクモ膜下領域へ手を使わずにデリバリし、前記クモ膜下血腫に近接する１つ以上の動脈における血流速度を手を使わずに検知するように構成されたヘッドセットを含む超音波モジュールと、
前記血栓溶解剤デリバリモジュール及び前記超音波モジュールに動作可能に接続されたコントローラであって、前記超音波モジュールからの前記血流速度に対応する信号を受信し、並びに前記信号に応じて前記計測装置から前記クモ膜下領域への血栓溶解剤のデリバリを制御する、前記信号に応じて前記ヘッドセットから前記クモ膜下領域への超音波エネルギーのデリバリを制御する、又はその両方を行うように構成された前記コントローラを含む制御モジュールと
を含む、クモ膜下血腫を持つ人間の患者を治療するためのシステム。
【請求項２】
前記血栓溶解剤デリバリモジュールは、脳室造瘻術を使って前記クモ膜下領域に前記血栓溶解剤をデリバリするように構成されたカテーテルを更に含む、
請求項１に記載のシステム。
【請求項３】
脳脊髄液ドレーンを含むドレナージモジュールを更に含む、
請求項１に記載のシステム。
【請求項４】
計測装置を含む血栓溶解剤デリバリモジュールと、
経頭蓋超音波エネルギーをクモ膜下血腫を含むクモ膜下領域へ手を使わずにデリバリするように構成されたヘッドセットを含む超音波モジュールと、
脳脊髄液ドレーンと、前記クモ膜下血腫の消褪の１つ以上の指標を検知するように構成された脳脊髄液分析器を含むドレナージモジュールと、
コントローラとを含む制御モジュールとを含み、
前記コントローラは、
（１）前記血栓溶解剤デリバリモジュール及び前記ドレナージモジュールに動作可能に接続され、前記コントローラは、前記ドレナージモジュールからの前記クモ膜下血腫の消褪の前記１つ以上の指標に対応する信号を受信し、前記信号に応じて前記計測装置から前記クモ膜下領域への血栓溶解剤のデリバリを制御するようにプログラムされ、
（２）前記超音波モジュール及び前記ドレナージモジュールに動作可能に接続され、前記コントローラは、前記ドレナージモジュールからの前記クモ膜下血腫の消褪の前記１つ以上の指標に対応する信号を受信し、前記信号に応じて前記ヘッドセットから前記クモ膜下領域への超音波エネルギーのデリバリを制御するようにプログラムされ、又は
（３）（１）及び（２）の両方である、
クモ膜下血腫を持つ人間の患者を治療するためのシステム。
【請求項５】
前記コントローラは、前記血栓溶解剤デリバリモジュール及び前記超音波モジュールに動作可能に接続され、
前記ヘッドセットは血流速度を手を使わずに検知するように構成され、
前記コントローラは、前記超音波モジュールからの前記血流速度に対応する信号を受信し、並びに前記信号に応じて前記計測装置から前記クモ膜下領域への前記血栓溶解剤のデリバリを制御する、前記信号に応じて前記ヘッドセットから前記クモ膜下領域への超音波エネルギーのデリバリを制御する、又はその両方を行うようにプログラムされる、
請求項４に記載のシステム。
【請求項６】
前記脳脊髄液分析器はフローサイトメータである、
請求項４に記載のシステム。
【手続補正書】
【提出日】平成28年3月14日(2016.3.14)
【手続補正１】
【補正対象書類名】明細書
【補正対象項目名】００９６
【補正方法】変更
【補正の内容】
【００９６】
本開示は、上記の実施形態に限定されないが、以下の請求項及び全てのその等価物に詳述する制限によって規制される。本開示は、本明細書に具体的に開示されていない要素を欠いても適宜実施され得る。本発明の実施態様の一部を以下の項目［１］−［１５］に記載する。
[１]
機械的締結具の製造方法であって、
機械的締結要素と縦方向の長さとを有するスリットウェブを提供することであって、前記スリットウェブが、ウェブの完全ブリッジ領域によって断続された複数の横方向に分離された断続スリットを含み、前記断続スリットが機械横方向と平行ではない第１の方向に延び、少なくとも一部の隣接する断続スリットに対して、前記完全ブリッジ領域が前記第１の方向を横断する方向にずらして配置されている、前記スリットウェブを提供することと、
前記スリットウェブに張力を縦方向に加えることと、
側縁部を２つの回転分岐ディスク上に送ることによって前記スリットウェブを前記機械横方向に伸展させることによって、伸展された機械的締結ウェブを提供することであって、前記２つの回転分岐ディスクが、横方向に離間して配置され、前記伸展の間に前記スリットウェブと接触する支持面をそれらの間に有し、前記伸展された機械的締結ウェブが、前記スリットウェブの複数のストランドであって、前記完全ブリッジ領域の少なくとも一部において互いにくっ付き、前記完全ブリッジ領域の少なくとも一部の間で互いに分離される複数のストランドを含む、前記機械的締結ウェブを伸展することと、
を含む方法。
[２]
前記支持面が、前記２つの回転分岐ディスクに接続されている、項目１に記載の方法。
[３]
前記支持面が、前記２つの回転分岐ディスクの周面とぴったり重なる、項目１に記載の方法。
[４]
前記支持面が、前記２つの回転分岐ディスクの周面を越えて外側に膨らんでいる、項目１に記載の方法。
[５]
前記スリットウェブの前記側縁部が、前記分岐ディスクの周面に、連続ベルト、ピン、真空、又は強制空気ジェットのうちの少なくとも１つを用いて保持される、項目１に記載の方法。
[６]
前記伸展された機械的締結ウェブを加熱することを更に含む、項目１〜５のいずれか一項に記載の方法。
[７]
スリットウェブが、前記機械的締結要素が前記支持面とは反対方向を向くように配置される、項目１〜５のいずれか一項に記載の方法。
[８]
前記支持面が、加熱される、項目７に記載の方法。
[９]
前記スリットウェブが、前記機械的締結要素が前記支持面の方を向くように配置される、項目１〜５のいずれか一項に記載の方法。
[１０]
前記スリットウェブが、接着剤を前記機械的締結要素と反対側の表面上にコーティングされる、項目９のいずれか一項に記載の方法。
[１１]
前記伸展された機械的締結ウェブを高摩擦ローラー上に送ることを更に含む、項目１〜５のいずれか一項に記載の方法。
[１２]
前記完全ブリッジ領域の少なくとも一部において互いにくっ付けられた前記スリットウェブの前記複数のストランドが、９０度未満の角度を形成する、項目１〜５のいずれか一項に記載の方法。
[１３]
前記伸展された機械的締結ウェブを、その側縁部を２つの回転分岐ディスクの第２の組の上に向けて機械横方向に２回目に伸展させることであって、前記第２の組において、前記２つの回転分岐ディスクが、横方向に離間して配置され、２回目の前記伸展の間に前記伸展された機械的締結ウェブと接触する支持面をそれらの間に有する、２回目の伸展、を更に含む、項目１〜５のいずれか一項に記載の方法。
[１４]
前記伸展された機械的締結ウェブをキャリアに積層することを更に含む、項目１〜５のいずれか一項に記載の方法。
[１５]
前記キャリアに接着剤層を設け、前記伸展された機械的締結ウェブを前記キャリアに接着剤を用いて接合して積層体を形成し、前記接着剤が、前記積層体内の前記複数のストランド間で露出する、項目１４に記載の方法。
【手続補正２】
【補正対象書類名】特許請求の範囲
【補正対象項目名】全文
【補正方法】変更
【補正の内容】
【特許請求の範囲】
【請求項１】
機械的締結具の製造方法であって、
機械的締結要素と縦方向の長さとを有するスリットウェブを提供することであって、前記スリットウェブが、ウェブの完全ブリッジ領域によって断続された複数の横方向に分離された断続スリットを含み、前記断続スリットが機械横方向と平行ではない第１の方向に延び、少なくとも一部の隣接する断続スリットに対して、前記完全ブリッジ領域が前記第１の方向を横断する方向にずらして配置されている、前記スリットウェブを提供することと、
前記スリットウェブに張力を縦方向に加えることと、
側縁部を２つの回転分岐ディスク上に送ることによって前記スリットウェブを前記機械横方向に伸展させることによって、伸展された機械的締結ウェブを提供することであって、前記２つの回転分岐ディスクが、横方向に離間して配置され、前記伸展の間に前記スリットウェブと接触する支持面をそれらの間に有し、前記伸展された機械的締結ウェブが、前記スリットウェブの複数のストランドであって、前記完全ブリッジ領域の少なくとも一部において互いにくっ付き、前記完全ブリッジ領域の少なくとも一部の間で互いに分離される複数のストランドを含む、前記機械的締結ウェブを伸展することと、
を含む方法。
【請求項２】
前記支持面が、前記２つの回転分岐ディスクに接続されている、請求項１に記載の方法。
【請求項３】
前記スリットウェブの前記側縁部が、前記分岐ディスクの周面に、連続ベルト、ピン、真空、又は強制空気ジェットのうちの少なくとも１つを用いて保持される、請求項１又は２に記載の方法。
【請求項４】
前記伸展された機械的締結ウェブをキャリアに積層することを更に含み、前記キャリアに接着剤層を設け、前記伸展された機械的締結ウェブを前記キャリアに接着剤を用いて接合して積層体を形成し、前記接着剤が、前記積層体内の前記複数のストランド間で露出する、請求項１〜３のいずれか一項に記載の方法。
【手続補正書】
【提出日】平成27年10月16日(2015.10.16)
【手続補正１】
【補正対象書類名】特許請求の範囲
【補正対象項目名】請求項１０
【補正方法】変更
【補正の内容】
【請求項１０】
前記配置機構は複数のテザーを含み、該複数のテザーはそれぞれ、前記反転可能な素子の遠位端の近傍で前記移送カテーテルに接続されている請求項９の移送システム。
【手続補正２】
【補正対象書類名】特許請求の範囲
【補正対象項目名】請求項１１
【補正方法】変更
【補正の内容】
【請求項１１】
前記配置機構は複数のテザーを含み、前記複数のテザーはそれぞれ、前記反転可能な素子および前記移送カテーテルへ接続されている請求項９の移送システム。
【手続補正３】
【補正対象書類名】特許請求の範囲
【補正対象項目名】請求項１２
【補正方法】変更
【補正の内容】
【請求項１２】
さらに、前記反転可能な素子の近位端へ解放可能に接続された複数の取付けケーブルを含む請求項９の移送システム。
【手続補正４】
【補正対象書類名】特許請求の範囲
【補正対象項目名】請求項１３
【補正方法】変更
【補正の内容】
【請求項１３】
配置機構はさらに、
第１のスロットを有する外側シースと、
該外側シース内に配置されて凹部を有する摺動部材とを含む請求項９の移送システム。
【手続補正５】
【補正対象書類名】特許請求の範囲
【補正対象項目名】請求項１４
【補正方法】変更
【補正の内容】
【請求項１４】
前記配置機構は複数のテザーを含み、該複数のテザーはそれぞれ、前記摺動部材の凹部内に適合する大きさの端部を有する請求項１３の移送システム。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
近位端及び遠位端を有し、操縦メカニズムと画像感知構成要素とを備える本体部材と、  前記本体部材の前記近位端に連結されたコネクタ構成要素と、
発光構成要素と、
前記本体部材が体液と連通しないように前記本体部材を隔離するように前記本体部材の周りに配設されて構成された、除去可能なシースと、
前記除去可能なシースの少なくとも一部分の周りに配設される流体流路と、
前記除去可能なシースの周りに配設された細長いチューブと、備え、
前記細長いチューブが近位端及び遠位端を有し、
前記流体流路が前記細長いチューブと前記除去可能なシースとの間に位置付けられ、
前記細長いチューブが、前記細長いチューブの前記遠位端に隣接したフルートを備える、細長い医療用器具。
【請求項２】
前記除去可能なシースがレンズ部分を備え、前記レンズ部分が、前記レンズ部分を横切って光を伝送するのを可能にするように構成される、請求項1に記載の細長い医療用器具。
【請求項３】
前記レンズ部分が、幾何学形状の内表面及び幾何学形状の外表面の少なくとも一方を備える、請求項2に記載の細長い医療用器具。
【請求項４】
前記流体流路が、前記コネクタ構成要素に隣接して配設された近位側ポートと前記本体部材の前記遠位端に隣接して配設された遠位側ポートとの間で流体連通を提供し、前記除去可能なシースが前記本体部材を前記流体流路から隔離する、請求項2に記載の細長い医療用器具。
【請求項５】
前記流体流路が、流体のフローが前記除去可能なシースの前記レンズ部分を洗浄するように、前記遠位側ポートから前記流体を方向付けるように構成される、請求項4に記載の細長い医療用器具。
【請求項６】
前記発光構成要素が前記除去可能なシースの壁内に配設される、請求項1に記載の細長い医療用器具。
【請求項７】
前記発光構成要素が前記本体部材内に配設される、請求項1に記載の細長い医療用器具。
【請求項８】
前記画像感知構成要素が、光ファイバーストランド、CCDカメラ、及びCMOSカメラの少なくとも一つを備える、請求項1に記載の細長い医療用器具。
【請求項９】
前記操縦メカニズムが少なくとも一本の操縦ケーブルを備える、請求項1に記載の細長い医療用器具。
【請求項１０】
前記フルートが、前記本体部材が前記細長いチューブの前記遠位端を越えて伸展されたとき、前記流体流路から流体が流れるのを可能にするように構成される、請求項1に記載の細長い医療用器具。
【請求項１１】
前記フルート間に配設されたタブを更に備え、前記タブが、前記本体部材が前記細長いチューブから伸展するのを阻害するように構成された係止力を働かせるようにして、前記本体部材の前記遠位端を係合するように構成される、請求項10に記載の細長い医療用器具。
【請求項１２】
前記タブが、前記係止力を克服するような前記本体部材に対する遠位方向に配向された力に応答して、前記本体部材が前記細長いチューブから伸展するのを可能にするように構成される、請求項11に記載の細長い医療用器具。
【請求項１３】
前記フルート及び前記タブが、流体のフローが前記除去可能なシースの一部分を洗浄するように、前記流体経路からの前記流体のフローを方向付けるように構成される、請求項11に記載の細長い医療用器具。
【請求項１４】
前記細長い医療用器具が、Jタイプの栄養チューブ、Gタイプの栄養チューブ、G-Jエクステンションタイプの栄養チューブ、NGタイプの栄養チューブ、NJタイプの栄養チューブ、Jタイプの薬物送達チューブ、NJタイプの薬物送達チューブ、NGタイプの薬物送達チューブ、Gタイプの薬物送達チューブ、及びG-Jエクステンションタイプの薬物送達チューブのうち一つを含む、請求項1に記載の細長い医療用器具。
【請求項１５】
近位端及び遠位端を有し、操縦メカニズムと画像感知構成要素とを備える本体部材と、  前記本体部材の前記近位端に連結されたコネクタ構成要素と、
発光構成要素と、
前記本体部材が体液と連通しないように前記本体部材を隔離するように前記本体部材の周りに配設されて構成された、除去可能なシースと、
前記除去可能なシースの周りに配設される、近位端及び遠位端を有する細長いチューブと、
前記除去可能なシースと前記細長いチューブとの間に配設された流体流路と、を備え、
前記細長いチューブは、前記細長いチューブの前記遠位端に隣接したタブを備え、
前記タブが、前記本体部材が前記細長いチューブから伸展するのを阻害するように構成された係止力を働かせるようにして、前記本体部材の前記遠位端を係合するように構成され、
前記タブが、前記係止力を働かせるタブであると同時に前記細長いチューブの遠位ポートを通過するフローを可能にする構成を有する、細長い医療用器具。
【請求項１６】
前記タブが、前記係止力を克服するような前記本体部材に対する遠位方向に配向された力に応答して、前記本体部材が前記細長いチューブから伸展するのを可能にするように構成される、請求項15に記載の細長い医療用器具。
【請求項１７】
前記流体流路を通る流体のフローが前記除去可能なシースの一部分を洗浄するように構成される、請求項15に記載の細長い医療用器具。
【請求項１８】
前記流体流路が、前記細長いチューブの内径内に、複数の長手方向に配向された溝を備える、請求項15に記載の細長い医療用器具。
【請求項１９】
前記細長いチューブが前記細長いチューブの前記遠位端に隣接したフルートを備え、前記フルートが、前記本体部材が前記細長いチューブの前記遠位端を越えて伸展されたとき、前記流体流路から流体が流れるのを可能にするように構成される、請求項18に記載の細長い医療用器具。
【請求項２０】
前記タブが前記フルート間に配設される、請求項19に記載の細長い医療用器具。
【請求項２１】
前記タブが、前記係止力を克服するような前記本体部材に対する遠位方向に配向された力に応答して、前記本体部材が前記細長いチューブから伸展するのを可能にするように構成される、請求項20に記載の細長い医療用器具。
【請求項２２】
細長い医療用器具を得るステップと、
レンズ部分を備える除去可能なシースを得るステップと、
前記除去可能なシースが前記細長い医療用器具を患者の体内の流体から隔離するようにして、前記細長い医療用器具を体内に導入するステップと、
フローが前記レンズ部分を洗浄するように、前記除去可能なシースの周りに配設された流体流路を通してフローを導入するステップとを含む、細長い医療用器具を患者の体内に導入する方法。
【請求項２３】
前記細長い医療用器具及び前記除去可能なシースを前記患者の身体から除去するステップを更に含む、請求項22に記載の方法。
【請求項２４】
前記細長い医療用器具を体内に導入するのに先立って、前記細長い医療用器具及び前記シースを細長いチューブに挿入するステップと、
前記細長いチューブを前記患者の体内で位置付けるステップと、
前記細長い医療用器具及び前記シースを前記患者の身体から除去するステップとを更に含む、請求項22に記載の方法。
【請求項２５】
前記流体流路が前記除去可能なシースと前記細長いチューブとの間に配設される、請求項24に記載の方法。
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
不特定アシルトランスフェラーゼ（ワックスエステルシンターゼ／アシル補酵素Ａ：ジアシルグリセロール  アシルトランスフェラーゼ）をコードする外因性核酸を含む、遺伝子改変した酸化炭素資化性酢酸産生細菌。
【請求項２】
クロストリジウム（Ｃｌｏｓｔｒｉｄｉｕｍ）である、請求項１に記載の細菌。
【請求項３】
前記不特定アシルトランスフェラーゼが、Ａｃｉｎｅｔｏｂａｃｔｅｒ  ｂａｙｌｙｉ由来のものである、請求項１に記載の細菌。
【請求項４】
前記核酸がプラスミドである、請求項１に記載の細菌。
【請求項５】
前記細菌がＣｌｏｓｔｒｉｄｉｕｍ  ａｕｔｏｅｔｈａｎｏｇｅｎｕｍ由来である、請求項１に記載の細菌。
【請求項６】
前記細菌がＣｌｏｓｔｒｉｄｉｕｍ  ｌｊｕｎｄａｈｌｉｉ由来である、請求項１に記載の細菌。
【請求項７】
前記細菌がＣｌｏｓｔｒｉｄｉｕｍ  ａｕｔｏｅｔｈａｎｏｇｅｎｕｍ、Ｃｌｏｓｔｒｉｄｉｕｍ  ｌｊｕｎｇｄａｈｌｉｉ、Ｃｌｏｓｔｒｉｄｉｕｍ  ｒａｇｓｄａｌｅｉ、Ｃｌｏｓｔｒｉｄｉｕｍ  ｃａｒｂｏｘｉｄｉｖｏｒａｎｓ、Ｃｌｏｓｔｒｉｄｉｕｍ  ｄｒａｋｅｉ、Ｃｌｏｓｔｒｉｄｉｕｍ  ｓｃａｔｏｌｏｇｅｎｅｓ、Ｃｌｏｓｔｒｉｄｉｕｍ  ａｃｅｔｉｃｕｍ、Ｃｌｏｓｔｒｉｄｉｕｍ  ｆｏｒｍｉｃｏａｃｅｔｉｃｕｍ、Ｃｌｏｓｔｒｉｄｉｕｍ  ｍａｇｎｕｍ、Ｂｕｔｙｒｉｂａｃｔｅｒｉｕｍ  ｍｅｔｈｙｌｏｔｒｏｐｈｉｃｕｍ、Ａｃｅｔｏｂａｃｔｅｒｉｕｍ  ｗｏｏｄｉｉ、Ａｌｋａｌｉｂａｃｕｌｕｍ  ｂａｃｃｈｉｉ、Ｂｌａｕｔｉａ  ｐｒｏｄｕｃｔａ、Ｅｕｂａｃｔｅｒｉｕｍ  ｌｉｍｏｓｕｍ、Ｍｏｏｒｅｌｌａ  ｔｈｅｒｍｏａｃｅｔｉｃａ、Ｍｏｏｒｅｌｌａ  ｔｈｅｒｍａｕｔｏｔｒｏｐｈｉｃａ、Ｓｐｏｒｏｍｕｓａ  ｏｖａｔａ、Ｓｐｏｒｏｍｕｓａ  ｓｉｌｖａｃｅｔｉｃａ、Ｓｐｏｒｏｍｕｓａ  ｓｐｈａｅｒｏｉｄｅｓ、Ｏｘｏｂａｃｔｅｒ  ｐｆｅｎｎｉｇｉｉ、またはＴｈｅｒｍｏａｎａｅｒｏｂａｃｔｅｒ  ｋｉｕｖｉ由来である、請求項１に記載の細菌。
【請求項８】
前記不特定アシルトランスフェラーゼをコードする核酸が、Ｃｌｏｓｔｒｉｄｉｕｍ  ａｕｔｏｅｔｈａｎｏｇｅｎｕｍに最適化されるコドンである、請求項５に記載の細菌。
【請求項９】
ＣＯおよび／またはＣＯ２をバイオディーゼルに変換する工程であって、前記工程が、
気体のＣＯ含有物質および／またはＣＯ２含有物質を、培養媒体中の請求項１に記載の酸化炭素資化性酢酸産生細菌の培養物を含むバイオリアクターに通し、これにより、前記細菌が前記ＣＯおよび／またはＣＯ２を前記バイオディーゼルに変換することと、
前記バイオリアクターから前記バイオディーゼルを回収することと
を含む、工程。
【請求項１０】
前記物質が、工業廃ガスを含む、請求項９に記載の工程。
【請求項１１】
前記培養物が嫌気性である、請求項９に記載の工程。
【請求項１２】
前記バイオディーゼルが、脂肪酸エチルエステルを含む、請求項９に記載の工程。
【請求項１３】
前記バイオディーゼルが、脂肪酸ブチルエステルを含む、請求項９に記載の工程。
【請求項１４】
酸化炭素資化性酢酸産生細菌を複製するプラスミドであって、前記プラスミドが、不特定アシルトランスフェラーゼ（ワックスエステルシンターゼ／アシル補酵素Ａ：ジアシルグリセロール  アシルトランスフェラーゼ）をコードする外因性核酸を含む、プラスミド。
【請求項１５】
前記不特定アシルトランスフェラーゼをコードする核酸が、Ｃｌｏｓｔｒｉｄｉｕｍ  ａｕｔｏｅｔｈａｎｏｇｅｎｕｍに最適化されたコドンである、請求項１４に記載のプラスミド。
【請求項１６】
メチル化されている、請求項１４に記載のプラスミド。
【請求項１７】
前記物質が合成ガスを含む、請求項９に記載の工程。
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
端面に付着されたバリアを有する可燃性熱源を製造する方法であって、
第１の開口部及び反対側の第２の開口部を有する中空ダイを準備する段階と、
前記中空ダイの前記第１の開口部を層状バリア材料で覆う段階と、
前記中空ダイに前記第１の開口部を通して第１のパンチを挿入することによって前記層状バリア材料からバリアを打ち抜く段階と、
前記中空ダイに前記第２の開口部を通して１つ又はそれ以上の粒子成分を入れる段階と、
前記中空ダイに前記第２の開口部を通して第２のパンチを挿入することによって、前記１つ又はそれ以上の粒子成分を圧縮して可燃性熱源を形成し、前記バリアを前記可燃性熱源の端面に付着させる段階と、
前記端面に付着された前記バリアを有する前記可燃性熱源を前記中空ダイから排出する段階と、
を備える、可燃性熱源の製造方法。
【請求項２】
前記バリアと前記可燃性熱源の前記端面との間に接着剤を提供する段階をさらに備える、請求項１に記載の方法。
【請求項３】
前記接着剤は、前記ダイの前記第１の開口部を前記層状バリア材料で覆う前に前記層状バリア材料に塗布される、請求項２に記載の方法。
【請求項４】
前記接着剤を前記層状バリア材料にスプレーガン、ローラ、及びスロットガンの少なくとも１つを使用して塗布する段階を備える、請求項３に記載の方法。
【請求項５】
前記１つ又はそれ以上の粒子成分の少なくとも１つは炭素質である、請求項１から４の何れか１項に記載の方法。
【請求項６】
前記１つ又はそれ以上の粒子成分の少なくとも１つは結合剤を含む、請求項１から４の何れか１項に記載の方法。
【請求項７】
前記結合剤は、前記バリアを前記可燃性熱源の前記端面に付着することを助長する、請求項６に記載の方法。
【請求項８】
前記バリアは、実質的に前記可燃性熱源の前記端面全体を横切ると共に少なくとも部分的に前記可燃性熱源の隣接する側面に沿って延びる、請求項１から７の何れか１項に記載の方法。
【請求項９】
前記第１のパンチは、平坦プロファイル又は凹状プロファイルを有する、請求項１から８の何れか１項に記載の方法。
【請求項１０】
前記第２のパンチは、平坦プロファイル又は凹状プロファイルを有する、請求項１から９の何れか１項に記載の方法。
【請求項１１】
前記層状バリア材料は熱伝導性である、請求項１から１０の何れか１項に記載の方法。
【請求項１２】
前記層状バリア材料の熱伝導率は、少なくとも約２００Ｗ/ｍＫである、請求項１１に記載の方法。
【請求項１３】
前記層状バリア材料は不燃性である、請求項１から１２の何れか１項に記載の方法。
【請求項１４】
前記層状バリア材料は、実質的に空気不透過性である、請求項１から１３の何れか１項に記載の方法。
【請求項１５】
喫煙物品用可燃性熱源を製造するための、請求項１から１４の何れか１項に記載の方法。
【手続補正書】
【提出日】平成28年3月11日(2016.3.11)
【手続補正１】
【補正対象書類名】明細書
【補正対象項目名】００２５
【補正方法】変更
【補正の内容】
【００２５】
したがって、堆積チャンバは、基板の第１の側部に材料を堆積し、基板の第１の側部の反対側の基板の第２の側部に照射するために設けられる。そのような堆積チャンバは、材料堆積プロセスおよび熱プロセスの両方を、基板をチャンバから取り出すことなく基板上で実施することができる二重機能チャンバになることができ、それによって、基板を堆積チャンバから周囲の熱処理チャンバに運ぶのに必要とされる時間を解消する。堆積チャンバは、堆積チャンバの周囲領域に配置された光エネルギーアセンブリ（たとえばランプ）を有し、１つまたは複数の反射表面（たとえばアダプタプレートおよびエッジリング）を有する１つまたは複数のチャンバ構成要素は、光および／または放射エネルギーを基板の裏側に向かって集束させる。特に、コーティングが、エッジリングの一部分上に配設されて、１つまたは複数の反射表面の１つをもたらす。コーティングは、コーティングプロセスによってその場以外（ｅｘ−ｓｉｔｕ）で、または堆積チャンバ内のスパッタ堆積プロセス中にその場（ｉｎ−ｓｉｔｕ）で加えられた金属材料を含むことができる。本発明の実施形態は、コーティングの反射性を増大させ、光および／または放射エネルギーを、エネルギーが容易に吸収され得る基板の裏側に反射させるために、光および／または放射エネルギーをコーティングに衝突させることを可能にすることによる熱プロセスの温度上昇を利用する。さらに、エッジリングの形状寸法は、反射されたエネルギーの入射角度を改良し、その結果反射されたエネルギーの制御、したがって基板の温度制御を容易にする。
【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
（ａ）治療的有効量の可溶化エストラジオールと、（ｂ）可溶化剤とを含む膣坐剤であって、
前記可溶化剤が、Ｃ６〜Ｃ１２脂肪酸、又は、それらの、グリコールエステル、モノグリセリドエステル、ジグリセリドエステル、若しくはトリグセリドエステルを少なくとも１種含み、
前記膣坐剤が、１μｇ〜２５μｇのエストラジオールを含み、且つ
前記膣坐剤が、前記可溶化剤中に親水性ゲル形成生体接着剤を含まない、膣坐剤。
【請求項２】
前記エストラジオールが完全に可溶化されている、請求項１に記載の膣坐剤。
【請求項３】
微粒子化エストラジオールを更に含む、請求項１に記載の膣坐剤。
【請求項４】
１μｇ〜１０μｇのエストラジオールを含む、請求項１〜３の何れか一項に記載の膣坐剤。
【請求項５】
２５μｇのエストラジオールを含む、請求項１〜３の何れか一項に記載の膣坐剤。
【請求項６】
１０μｇのエストラジオールを含む、請求項１〜３の何れか一項に記載の膣坐剤。
【請求項７】
５μｇのエストラジオールを含む、請求項１〜３の何れか一項に記載の膣坐剤。
【請求項８】
２．５μｇのエストラジオールを含む、請求項１〜３の何れか一項に記載の膣坐剤。
【請求項９】
カプセルを更に含む、請求項１〜８の何れか一項に記載の膣坐剤。
【請求項１０】
前記カプセルが、軟ゼラチンカプセルである、請求項９に記載の膣坐剤。
【請求項１１】
前記可溶化剤が、Ｃ６−Ｃ１２脂肪酸の少なくとも１種の、モノグリセリドエステル、ジグリセリドエステル又はトリグリセリドエステルを含む、請求項１〜１０の何れか一項に記載の膣坐剤。
【請求項１２】
前記可溶化剤が、カプロン脂肪酸のエステル、カプリル脂肪酸のエステル、カプリン脂肪酸のエステル及びそれらの組み合わせの少なくとも１種を含む、請求項１〜１１の何れか一項に記載の膣坐剤。
【請求項１３】
前記可溶化剤が、カプリル／カプリントリグリセリドを含む、請求項１２に記載の膣坐剤。
【請求項１４】
（ａ）医薬組成物と、（ｂ）軟ゼラチンカプセルとを含む膣坐剤であって、
前記医薬組成物が、治療的有効量のエストラジオール；カプリル／カプリントリグリセリド；ＰＥＧ−６パルミトステアレート及びエチレングリコールパルミトステアレートを含む非イオン性界面活性剤；を含み、
前記医薬組成物が、１μｇ〜２５μｇのエストラジオールを含み、
前記医薬組成物が、親水性ゲル形成生体接着剤を含まない、膣坐剤。
【請求項１５】
膣内送達経由の、外陰膣萎縮の治療に用いるための、請求項１〜１４の何れか一項に記載の膣坐剤。
【請求項１６】
膣内送達経由の、エストロゲン欠乏尿状態の治療に用いるための、請求項１〜１４の何れか一項に記載の膣坐剤。
【請求項１７】
乾燥、痒み、ひりひり感、過敏、出血、及び性交疼痛症から選択される外陰膣委縮に関連する症状の治療に用いるための、請求項１〜１４の何れか一項に記載の膣坐剤。
【請求項１８】
エストロゲン欠乏状態を治療するための膣坐剤であって、
前記治療が、前記膣坐剤を必要とする女性に投与することを含み、
前記膣坐剤が、
（ａ）治療的有効量の可溶化エストラジオールと、（ｂ）可溶化剤とを含み、
前記可溶化剤が、Ｃ６〜Ｃ１２脂肪酸、又は、それらの、グリコールエステル、モノグリセリドエステル、ジグリセリドエステル、若しくはトリグセリドエステルを少なくとも１種含み、
前記膣坐剤が、１μｇ〜２５μｇのエストラジオールを含み、且つ
前記膣坐剤が、前記可溶化剤中に親水性ゲル形成生体接着剤を含まない、膣坐剤。
【請求項１９】
前記エストロゲン欠乏状態が、外陰膣委縮、性交疼痛症、エストロゲン欠乏尿状態及び性交に伴う膣出血を含む群より選択される、請求項１８に記載の膣坐剤。
【請求項２０】
外陰膣委縮の治療のための膣坐薬であって、
前記治療が、請求項１〜１４の何れか一項に記載の膣坐剤を、膣坐剤による治療を必要とする女性に投与することを含む、膣坐剤。
【請求項２１】
エストロゲン欠乏尿状態の治療のための膣坐剤であって、
前記治療が、請求項１〜１４の何れか一項に記載の膣坐剤を、膣坐剤による治療を必要とする女性に投与することを含む、膣坐剤。
【請求項２２】
エストロゲン欠乏状態の治療のための治療薬の製造のための、治療的有効量のエストラジオール及び可溶化剤の使用であって、
前記可溶化剤が、Ｃ６〜Ｃ１２脂肪酸、又は、それらの、グリコールエステル、モノグリセリドエステル、ジグリセリドエステル、若しくはトリグセリドエステルを少なくとも１種含み、
前記エストラジオール量が、１μｇ〜２０μｇであり、
前記治療薬が、前記可溶化剤中に親水性ゲル形成生体接着剤を含まない、使用。
【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
第一の領域および第二の領域を含む粘膜付着層を含む、放出制御されたポリマー調製物であって、前記第一の領域は前記第二の領域により実質的に囲まれており、ここで、
前記第一の領域は、活性剤を含み、
前記第二の領域は、粘膜付着性物質を含む、放出制御されたポリマー調製物。
【請求項２】
前記第一の領域は、前記活性剤を含むポリマーマイクロスフィアを含む、請求項１に記載の放出制御されたポリマー調製物。
【請求項３】
前記第一の領域は、球状である、請求項１に記載の放出制御されたポリマー調製物。
【請求項４】
前記第一の領域は、楕円状である、請求項１に記載の放出制御されたポリマー調製物。
【請求項５】
前記第一の領域は、円柱状である、請求項１に記載の放出制御されたポリマー調製物。
【請求項６】
前記調製物は、円形、楕円形、卵形、三角形、四角形、多角形および不規則な円形からなる群から選択される形を有する、請求項１に記載の放出制御されたポリマー調製物。
【請求項７】
粘膜付着性コーティング；および
活性剤を含むポリマー放出層
を含む、経口薬物送達のための薬学的に受容可能な放出制御されたポリマーデバイスであって、ここで、前記ポリマー放出層は、粘膜付着性コーティングに配置され、ここで、前記粘膜付着性コーティングは、前記デバイスの重量の２〜３０倍の力で粘膜に付着することができる、デバイス。
【請求項８】
前記粘膜付着性コーティングは、前記デバイスの重量の２〜２０倍の力で粘膜に付着することができる、請求項７に記載のデバイス。
【請求項９】
前記粘膜付着性コーティングは、前記デバイスの重量の５０〜１００倍の力で粘膜に付着することができる、請求項７に記載のデバイス。
【請求項１０】
活性剤、
粘膜付着層、および、
透過増強物質
を含む、放出制御されたポリマーデバイスであって、ここで、前記デバイスの面が、許可領域を画定する粘膜に付着する場合、前記透過増強物質の実質的にほとんどが、前記許可領域内で維持される、デバイス。
【請求項１１】
前記透過増強物質は、実質的に前記許可領域から出ることができない、請求項１０に記載のデバイス。
【請求項１２】
前記デバイスの面が粘膜に付着する場合、粘膜に付着されたデバイスの面により画定される領域の外側に存在する分子は、前記領域に実質的に入らない、請求項１０に記載のデバイス。
【請求項１３】
前記デバイスは、前記粘膜に付着されたデバイスの面により画定される前記領域の外側に存在する分子の透過性を実質的に増強しない、請求項１０に記載のデバイス。
【請求項１４】
前記活性剤を含むポリマー微粒子をさらに含む、請求項１０に記載のデバイス。